(57)【特許請求の範囲】
【請求項１】
肥料を収容する施肥ホッパ（１）と、繰出ロール（２）の回転によって前記施肥ホッパ（１）から供給される肥料を繰出す繰出装置（３）と、ブロワ（４）からの送風を通して、前記繰出装置（３）から繰出される肥料を受けて施肥ホース（５）へ送風搬送させる送風施肥筒（６）とを構成する施肥機を搭載した車体（２６）後部に連結する苗植装置（３２）を備えた苗移植機において、
前記繰出装置（３）の繰出口（７）と、送風施肥筒（６）との間に、螺旋軸（８）の周面に螺旋翼（９）を形成した押出螺旋（１０）と、この押出螺旋（１０）を押出筒（１２）内部に嵌合させた状態で回転して前記繰出口（７）から供給される肥料を押出口（１１）へ押出すように軸装する押出筒（１２）と、この押出筒（１２）の押出口（１１）から押し出される肥料を受けて前記送風施肥筒（６）上周部の供給口（１３）に供給する供給ホッパ（１４）と、前記押出筒（１２）の始端部に搬送風を吹き込む噴風装置（８０）とを設けて、前記繰出口（７）から流下される肥料を、押出螺旋（１０）の回転、及び噴風装置（８０）による送風によって、押出筒（１２）内を押出しながら送風施肥筒（６）へ供給し、
前記苗植装置（３２）の苗植連動において、噴風装置（８０）による押出筒（１２）への噴風タイミングを、苗植装置（３２）の植付装置（４８）の植付停止時に噴風し、植付連動時には噴風停止可能に設定して連動構成することを特徴とする苗移植機。
【請求項２】
前記押出筒（１２）の始端部に搬送風を吹き込む噴風装置（８０）は、前記送風施肥筒（６）へ送風するエアダクト（１７）からの分岐連通の送風パイプ（８１）を介して吹き込み可能に設けたことを特徴とする請求項１に記載の苗移植機。
【請求項３】
前記車体（２６）上の運転席（１８）の後側に施肥装置（３３）を搭載し、前記施肥装置（３３）の下側部において、前記繰出ロール（２）を連動する施肥連動軸（６６）と、前記各螺旋軸（８）を連動する螺旋連動軸（２１）とを、車体（２６）幅方向である左右横方向に亘って平行状形態に配置し、これら各施肥連動軸（６６）を連動する施肥駆動軸（６７）機構と、螺旋連動軸（２１）を連動する螺旋駆動軸（７０）機構とを、車体（２６）のセンタライン（Ｌ）部に対して、左右両側部に略平行状形態にし、且つ略左右対称状形態にして配置したことを特徴とする請求項１または２に記載の苗移植機。
【発明の詳細な説明】
【技術分野】
【０００１】
この発明は、多条施肥形態の施肥機を搭載した車体後部に連結する苗植装置を備えた苗移植機において、施肥条毎に構成される施肥ホース部に送風させる搬送用エアを通すためのエアダクト、及び送風ブロワを小径化、小形化して、施肥装置全体の高さを低く形成して、この施肥ホッパに対する肥料の補給や、多条植形態の苗植装置に対する補助苗の補給等の作用を行い易くする。また、効率の良い施肥送風を行う。
【背景技術】
【０００２】
繰出装置の後側部にエアダクトを配置して、左、右横端部のブロワから吹込まれるエアを横方向へ案内して、各施肥ホースに連通する繰出部に繰出される肥料を噴送する技術構成が知られている（例えば、特許文献１参照）。
【先行技術文献】
【特許文献】
【０００３】
【特許文献１】特開２０１４−２１２７１８号公報
【発明の概要】
【発明が解決しようとする課題】
【０００４】
エアダクトから各施肥ホースに分岐連通して、施肥搬送用噴風を行わせる形態では、このエアダクトが施肥装置の後側部、特にリアフロアの足元部の近くに配置されると、作業者がリアフロア上面部に立って、施肥ホッパに対する肥料の補給作業を行ったり、後部に連結する多条植形態の苗植装置の苗タンクに、マット苗を補給する等の補給作業の邪魔になり易く、手早い安全な作業を行い難い。
【課題を解決するための手段】
【０００５】
請求項１に記載の発明は、肥料を収容する施肥ホッパ（１）と、繰出ロール（２）の回転によって前記施肥ホッパ（１）から供給される肥料を繰出す繰出装置（３）と、ブロワ（４）からの送風を通して、前記繰出装置（３）から繰出される肥料を受けて施肥ホース（５）へ送風搬送させる送風施肥筒（６）とを構成する施肥機を搭載した車体（２６）後部に連結する苗植装置（３２）を備えた苗移植機において、
前記繰出装置（３）の繰出口（７）と、送風施肥筒（６）との間に、螺旋軸（８）の周面に螺旋翼（９）を形成した押出螺旋（１０）と、この押出螺旋（１０）を押出筒（１２）内部に嵌合させた状態で回転して前記繰出口（７）から供給される肥料を押出口（１１）へ押出すように軸装する押出筒（１２）と、この押出筒（１２）の押出口（１１）から押し出される肥料を受けて前記送風施肥筒（６）上周部の供給口（１３）に供給する供給ホッパ（１４）と、前記押出筒（１２）の始端部に搬送風を吹き込む噴風装置（８０）とを設けて、前記繰出口（７）から流下される肥料を、押出螺旋（１０）の回転、及び噴風装置（８０）による送風によって、押出筒（１２）内を押出しながら送風施肥筒（６）へ供給し、
前記苗植装置（３２）の苗植連動において、噴風装置（８０）による押出筒（１２）への噴風タイミングを、苗植装置（３２）の植付装置（４８）の植付停止時に噴風し、植付連動時には噴風停止可能に設定して連動構成することを特徴とする苗移植機とする。
【０００６】
繰出装置（３）から繰出される繰出口（７）の肥料は、押出螺旋（１０）を有した押出筒（１２）の押込口（１６）に供給されて、この押出螺旋（１０）の回転によって押出筒（１２）内を後側部へ押出されると共に噴風装置（８０）を構成するエアダクト（１７）から送風パイプ（８１）を経て、この押出筒（１２）に吹き込まれる送風力を受けて、押出口（１１）から下側の送風施肥筒（６）の供給ホッパ（１４）の供給口（１３）へ供給される。ブロワ（４）から吹出される送風は、エアダクト（１７）を通して各送風施肥筒（６）へ分岐するように送風されて、前記供給口（１３）からこの送風施肥筒（６）へ供給される肥料を後側の施肥ホース（５）側へ噴送する。
【０００７】
この送風施肥筒（６）内へ吹込まれる送風は、一部上側の供給口（１３）側へ吹込まれようとするも、前記押出筒（１２）内には、前記噴風装置（８０）からの噴風圧による押出搬送作用が行われており、この押出筒（１２）から供給ホッパ（１４）を経て送風施肥筒（６）側へ送風されているため、送風施肥筒（６）から供給ホッパ（１４）や、押出筒（１２）側へ、送風の一部が逆流しないように阻止される。
【０００８】
しかも、この供給ホッパ（１４）の上端の押出口（１１）に連通する押出筒（１２）内周面には、螺旋軸（８）と一体に形成されて回転する螺旋翼（９）の回転外周縁部を、これら押込口（１６）と押出口（１１）との間に形成の押出筒（１２）内周面に接近させて回転する押出螺旋（１０）と、この押出螺旋（１０）の螺旋間隔部に嵌合させて押出移送される肥料とによって仕切られた形態にあるため、供給口（１３）に吹込まれた風圧が直ちに上側繰出口（７）側へ吹き込まれたり逃げ出すことは阻止されて、送風施肥筒（６）における後側施肥ホース（５）側への送風搬送力を効果的に維持する。そして、前記押出筒（１２）における搬送を押螺旋（１０）によって強制的に、画一的に行うものであるから、正確な施肥作用を行わせる。
また、前記押出筒（１２）に噴風装置（８０）の噴風作用を働かせて肥料繰出を行わせる施肥形態にあっては、噴風装置（８０）の噴風作用を常時継続状態にしないで、噴風作用に必要とするときだけ噴風させる間歇的噴風形態に作動させることによって、噴風ロスを少なくして、小形のブロワを用いて効率的な施肥搬送を行わせようとする。
前記噴風装置（８０）の送風パイプ（８１）を経て押出筒（１２）内へ吹込む送風は、この送パイプ（８１）に設けるエアババルブ（８７）を、苗植センサ（８８）や、肥料詰りセンサ（９０）等の検出によって、開閉制御する形態としている。前記噴風装置（８０）がエアコンプレッサの如き、高風圧を送る形態であるときは、前記送風パイプ（８１）に、ニードルバルブ形態の如きエアバルブ（８７）を設けている。
苗植センサ（８８）が苗植装置（３２）の苗植作動状態を検出し、または施肥センサ（９２）が施肥装置（３３）の施肥作動状態を検出しているとき（図７、ステップＳ１）、開位置にあるエアバルブ（８７）は、コントローラ（９１）からの操作出力により、ソレノイドを介して閉作動される（Ｓ２）。また、前記苗植センサ（８８）が苗植作動状態を検出しないか、または、施肥センサ（９２）が施肥装置（３３）の施肥作動状態を検出しないときは（Ｓ３）、操作出力により、エアバルブ（８７）を開作動することができ（Ｓ４）、押出筒（１２）内の残留肥料を供給ホッパ（１４）へ搬送し、押出筒（１２）内周面を噴掃することができる。
【０００９】
請求項２に記載の発明は、前記押出筒（１２）の始端部に搬送風を吹き込む噴風装置（８０）は、前記送風施肥筒（６）へ送風するエアダクト（１７）からの分岐連通の送風パイプ（８１）を介して吹き込み可能に設けたことを特徴とする請求項１に記載の苗移植機とする。
【００１０】
各繰出装置（３）の押出筒（１２）の始端部に、送風を吹込む噴風装置（８０）として、この繰出装置（３）の下部に配置するエアダクト（１７）を送風される送風の一部を利用して、このエアダクト（１７）から直接分岐送風される送風パイプ（８１）を介して、押出筒（１２）内に連通している。
【００１１】
そして、このエアダクト（１７）から送風を、各送風施肥筒（６）へ分岐送風すると共に、送風パイプ（８１）を介して各押出筒（１２）へ分岐送風させて、この押出筒（１２）内に繰出された肥料を、前記送風パイプ（８１）からの噴風によって押出口（１１）側へ搬送すると共に、この押出筒（１２）内で回転する押出螺旋（１０）によって搬送する。
【００１２】
このようにして供給ホッパ（１４）に押出された肥料は、この供給ホッパ（１４）の下端部の供給口（１３）から前記送風施肥筒（６）内へ供給されて、エアダクト（１７）から吹き出される送風力によって施肥ホース（５）へ施肥搬送される。この送風施肥筒（６）における施肥搬送は、エアダクト（１７）から直接分岐送風される送風力によって搬送されると共に、同エアダクト（１７）から押出筒（１２）へ分岐送風して、この押出筒（６）内を押出螺旋（１０）の回転による搬送と共に搬送することによって、送風施肥筒（６）内の施肥搬送する肥料の供給ホッパ（１４）側への逆流を防止することができる。
【００１３】
（削除）
【００１４】
（削除）
【００１５】
（削除）
【００１６】
（削除）
【００１７】
（削除）
【００１８】
（削除）
【００１９】
（削除）
【００２０】
（削除）
【００２１】
請求項３に記載の発明は、前記施肥装置（３３）の下側部において、前記繰出ロール（２）を連動する施肥連動軸（６６）と、前記各螺旋軸（８）を連動する螺旋連動軸（２１）とを、車体（２６）幅方向である左右横方向に亘って平行状形態に配置し、これら各施肥連動軸（６６）を連動する施肥駆動軸（６７）機構と、螺旋連動軸（２１）を連動する螺旋駆動軸（７０）機構とを、車体（２６）のセンタライン（Ｌ）部に対して、左右両側部に略平行状形態にし、且つ略左右対称状形態にして配置したことを特徴とする請求項１または２に記載の苗移植機とする。
【００２２】
横並び形態の各施肥装置（３３）の繰出ロール（２）軸（４９）は、後輪（２７）を伝動回転する後輪軸連動機構（７３）から連動される施肥駆動軸（６７）、及び施肥連動軸（６６）等を介して伝動回転される。
【００２３】
また、押出筒（１２）の押出螺旋（１０）は、ミッションケース（２９）のＰＴＯ軸（６８）から連動される螺旋駆動軸（７０）、及び螺旋連動軸（２１）等を介して伝動回転される。そして、繰出ロール（２）の回転によって施肥ホッパ（１）内の肥料を繰出しながら、この繰出肥料を押出螺旋（１０）の回転によって押出搬送し、施肥ホース（５）の連通する送風施肥筒（６）に繰出供給して送風施肥筒（６）毎の多条施肥を行わせる。
【発明の効果】
【００２４】
請求項１に記載の発明は、エアダクト（１７）から各押出筒（１２）に、搬送風の一部が送込まれることにより、押出筒（１２）の繰出された肥料は、この押出筒（１２）内で回転する押出螺旋（１０）と、前記噴風装置（８０エアダクト（１７））から吹込まれる搬送風とによって、押出筒（１２）内を搬送して、供給ホッパ（１４）から送風施肥筒（６）へ供給搬送し、施肥ホース（５）へ施肥搬送させるもので、押出筒（１２）内での肥料滞留を防止でき、設定量の肥料を的確に施肥することができる。円滑な施肥作用を行わせて、施肥性能を高めることができる。
【００２５】
特に、押出筒（１２）の肥料は、押出螺旋（１０）による押出作用と、噴風装置（８０）による噴風作用とによって、押出搬送を円滑に行わせることができ、押出筒（１２）内に送風施肥筒（６）内の搬送風が逆流することがあっても、この押出筒（１２）に働く送風力で対抗して逆流風力を減殺して、供給ホッパ（１４）及び送風施肥筒（６）側への肥料の繰出搬送力を有効に維持して、円滑で、正確な肥料繰出を行わせる。
また、苗植センサ（８８）が苗植連動停止を検出すると、前記送風パイプ（８１）のエアバルブ（８７）が開くことにより、苗の植付、及び施肥が行われないときのみ、送風パイプ（８１）を通して押出筒（１２）内へ送風を吹込ませることができるので、肥料を案内する搬送風力が弱くなることが防止されて、肥料を圃場面に的確に安定供給できる。あるいは、ブロワ（４）の出力を小さくし、エアダクト（１７）を小型化することができる。
そして、噴風装置（８０）の噴風作動を、苗植作業や、施肥作業を停止しているときに行わせるように構成することによって、押出筒（１２）の始端部に噴風することにより、押出螺旋（１０）の停止している押出螺旋（１２）の残留している肥料が、送風パイプ（８１）からの噴風によって供給ホッパ（１４）側へ吹き出されて、押出筒（１２）内の残留肥料を、送風施肥筒（６）へ排出する。
このような噴風装置（８０）からの噴風送風は、苗植作業や、施肥作業を停止しているときに、ブロワ（４）を駆動して、エアダクト（１７）の送風を送風パイプ（８１）を通して押出筒（１２）へ案内して、この押出筒（１２）内の残留肥料を噴掃しながら、清浄
状態に維持することができる。
【００２６】
請求項２に記載の発明は、請求項１に記載の発明の効果に加えて、前記押出筒（１２）の始端部に送風を吹込む噴風装置（８０）として、各繰出装置（３）による肥料の繰出を受けて送風搬送させる送風筒（６）への送風を行わせる送風形態のエアダクト（１７）から、送風パイプ（８１）を連通構成して、このエアダクト（１７）からの送風を、送風施肥筒（６）と押出筒（１２）とに送風して肥料の送風施肥筒（６）と押出筒（１２）とに送風して肥料の送風施肥筒（６）に対する繰出と、送風施肥筒（６）における施肥ホース（５）の施肥搬送とを行わせるものでエアダクト（１７）を送風施肥筒（６）への送風用と、押出筒（１２）への送風用とに共用化して、且つ各繰出装置（３）の並列方向に沿って平行形態に配置するため、各施肥装置（３３）位置に構成される送風パイプ（８１）の形態を短かくして簡単な構成とすることができる。
【００２７】
（削除）
【００２８】
（削除）
【００２９】
（削除）
【００３０】
（削除）
【００３１】
（削除）
【００３２】
請求項３に記載の発明は、請求項１または２の発明の効果に加えて、多数の施肥装置（３３）を横並び形態に配置した多条施肥形態の施肥機でありながら、各施肥装置（３３）の繰出ロール（２）軸（４９）を伝動する施肥連動軸（６６）と、各押出螺旋（１０）の螺旋軸（８）を連動する螺旋連動軸（２１）を、車体（２６）幅方向に沿う左右横方向に亘って平行状形態に配置するものであるから、施肥装置（３３）の横並び形態と相俟って、構成を簡潔的に構成し、各施肥装置（３３）に対する連動構成を短くして連動構成し易く構成することができる。
【００３３】
しかも、これらの連動軸（６６）、（２１）に対する施肥駆動軸（６７）機構と、螺旋駆動軸（７０）機構を、略左右対称状形態に配置するため、多条施肥形態の横幅広い車体（２６）全体として、左右方向の重量バランスを維持し易く、これらの相互間の伝動振動等の左右バランスをも図って、円滑な作業走行を行わせることができる。
【図面の簡単な説明】
【００３４】
【図１】苗移植機の側面図。
【図２】苗移植機の平面図。
【図３】施肥装置の側面図。
【図４】施肥装置の正面図。
【図５】施肥装置部の拡大側断面図（Ａ）、エアダクトの着脱状態を示す側断面図（Ｂ）、（Ｃ）。
【図６】その施肥装置の一部制御部のブロック図。
【図７】その一部制御部のフローチャート。
【図８】その一部制御部のフローチャート。
【発明を実施するための形態】
【００３５】
図面に基づいて、苗移植機は、ステアリングハンドル２４の操作で操向する前輪２５を車体２６の前部フロントアクスルハウジングに軸装し、大きい回転径の後輪２７をリヤアクスルハウジングに軸装して、エンジン２８、及びミッションケース２９等の伝動機構を介して駆動回転して走行できる四輪駆動走行形態のトラクタ車体２６を有し、この車体２６の後部に、リフトシリンダ３０の伸縮によって昇降回動する平行リンク状のリフトリンク３１を介して苗植装置３２を連結している。
【００３６】
車体２６上の運転席１８の後側にはリアフロア２０を形成して、施肥装置３３を搭載する。車体２６の左右両側部には、前輪２５の上側部から後輪２７上側部のリアフェンダ１９部に亘って覆うサイドフロア３４を構成し、この外側にサブフロア３５を拡張形成して、これらのフロア３４、３５上面を搭乗者が移動することによって、前端外側の補助苗載棚３７部に積載していたマット苗や、肥量袋を取出しながら、リアフロア２０側へ運んで、苗植装置３２の苗タンク３６へ苗補給したり、施肥装置３３の施肥ホッパ１へ肥料を補給することができる。
【００３７】
前記苗植装置３２は、センタフロート３８と、この左右両側部のサイドフロート３９とを配置して、苗植フレーム４０を支持して、土壌面を滑走しながら、植付土壌面を均平する。この苗植フレーム４０上に横幅広く多条植相当数並べた形態の苗タンク３６を、前上り傾斜面にして支持し、この苗タンク３６の後下端部に沿って形成されるガイドレール４１の各苗取口４２に対向させて作動する植付装置４３を配置し、この植付装置４３の先端部の植付爪４４を苗取口４２に作動させて、苗タンク３６から繰出されるマット苗を分離保持して土壌面へ多条植形態に植付けるものである。
【００３８】
前記苗植装置３２の前側には、各フロート３８、３９の前側の土壌面を均す代ロー夕８５を設け、苗植装置３２の昇降と共にリフトリンク３１の上下回動によって昇降することができ、フロート３８、３９による均平作用を行い易くするものである。
【００３９】
前記施肥装置３３は、この多条植形態の苗植装置３２の前側部において、車体２６の後端部に搭載して、苗植作業と同時に施肥作業を可能とする。苗植装置３２の各フロート３８、３９の苗植付位置前部近傍に施肥用の作溝器４５を設けて、この作溝器４５で形成した作溝部に施肥ホース５の施肥口を臨ませて、施肥装置３３から施肥ホース５を介して案内する肥料を、作溝器４５で形成の作溝内に流下させて施肥作業を行わせる。この作溝は植付けられた苗条に沿って形成され、施肥直後に覆土器等によって覆土することができる。
【００４０】
車体２６の後端部には、左右両側部のリアフェンダ１９間の中央部位置にリアフレーム４６が設けられて、このリアフレーム４６上にリアフロア２０が支持され、前記リフトリンク３１の前端部が上下回動回動自在に連結される。また、この左、右リアフェンダ１９間に亘ってリアフロア２０が形成されて、運転席１８の後側部を苗タンク３６の横幅方向一杯に亘って覆うように形成している。前記左右リアフレーム４６上間に亘って架設した支持フレーム４７に、横方向のエアダクト１７を支持させて取付け、このエアダクト１７の上側にボード材からなるリアフロア２０を敷設する。
【００４１】
このリアフロア２０の横端部下面にリアフェンダ１９の後端上部が連結される。これらリアフロア２０、及びエアダクト１７は、苗タンク３６の横幅と略同等の広幅に形成されて、リアフロア２０の上側面に各施肥装置３３を配置し、エアダクト１７の一側端部にはブロワ４を設けて、エアを吹き込むことができ、他側端部には、残留物を機外へ取出す取出ダクト４８や、開閉弁８９等を設けて、施肥作業時はこの開閉弁８９を閉じておき、残留物の取出時は開いてブロワ４からの送風によって残留物（肥料）を取出ダクト４８から機外へ取出すことができる。
【００４２】
施肥装置３３は、車体２６後部に連結する苗植装置３２の苗植条数と同基数の形態に横並び配置されるもので、繰出ロール２をロール軸４９周りに回転することによって、上側の施肥ホッパ１のホッパ出口１５から流下供給される粉、粒剤からなる肥料を下側の繰出口７側へ繰出す。
【００４３】
この施肥ホッパ１は、複数基毎に一体的に形成されて、底部に漏斗５０、及びホッパ出口１５を配置形成して、各ホッパ出口１５と対向の繰出装置３の繰出ケース５１上部の繰込口５２に連通させる。このホッパ出口１５部には開閉可能のシャッタ５３を設けている。これら施肥ホッパ１の中央部に位置するホッパ出口１５と、繰出装置３の中心部に位置するロール軸４９とは、側面視で上下方向一直線Ｙ上に配置されている。
【００４４】
この繰出ケース５１の下側に、押出筒１２を形成して内部に押出螺旋１０を有した押出ケース５４を配置し、前記繰出口７から流下される肥料を押込口１６に受けて、押出螺旋１０の回転によって、後端部の押出口１１へ押出して、下側の供給口１３へ供給する。この供給口１３は上側の押込口１６に対して後側へ偏倚した位置に形成されて、螺旋軸８を嵌合させて回転させる押出筒１２を介して前後方向に連通される。
【００４５】
この押出筒１２の前後端面は開口部５５、５６を形成して、この開口部５５の前側から螺旋軸８を嵌合挿通させて、この螺旋軸８の前後端部に嵌合する軸受メタル５７、５８を開口部５５、５６に嵌合させて軸受けする。この螺旋軸８の後端部にはギヤ伝動ケース５９のベベルギヤ６０を嵌合させて、連動軸２１から伝動回転する。前記押出筒１２の押込口１６と押出口１１との口端縁間の押出間隔Ｌを適宜長さに設定して、この押出間隔Ｌ部において、数ピッチの螺旋翼９を回転させる。この螺旋翼９は螺旋軸８部の周りに一体的に形成されていて、回転外周縁を押出筒１２の内周面に接近させて回転し、この螺旋軸１０の回転によって肥料を押込口１６から押出口１１側へ押し出すときに、送風施肥筒６の風圧が、押出口１１から押込口１６側へ逃げ出す逃出風量を少なくするように構成している。
【００４６】
前記螺旋翼９の回転外周縁部には、起毛状形態のブラシを形成することも可能で、このブラシの先端部を押出筒１２の内周面に摺接させることによって、肥料の押出搬送を円滑に、正確に行わせることができ、残留肥料を少なくすることができる。
【００４７】
また、前記押出ケース５４下部に、押出口１１を形成する供給ホッパ１４と、送風施肥筒６とを一体的に成形し、この送風施肥筒６の前端部の送風口６１を、エアダクト１７のダクト口６２に嵌合させて連結し、着脱可能に構成し、送風施肥筒６の後端部には、開口６３の周りに球座６４を形成して、ホース継手２２を方向変更自在に嵌合させて連結する。このホース継手２２の吹出口２３に可撓性の施肥ホース５の基端部を着脱可能にして連結する。前記供給口１３を形成する供給ホッパ１４には、吹返し防止板６５を設け、上端縁を板軸６６の周りに上下回動自在に支持させて、下側の供給口１３を吹き上げる風力が強くなると、この吹返し防止板６５を上方へ押し上げて、上側の押出口１１を閉鎖して、押出筒１２内への吹込風力を抑止するように構成している。
【００４８】
前記各送風施肥筒６に送風案内するエアダクト１７は、各押出筒１２の下側部に位置して左右横方向に沿って構成し、前記ホッパ出口１５、ロール軸４９、押込口１６等を通る上下方向直線Ｙの直下端部に。エアダクト１７の中心部を位置させるように配置構成している。
【００４９】
前記エアダクト１７は、各ダクト口６２を送風施肥筒６の送風口６１に嵌合させて、エアダクト１７の風圧を施肥ホース５側へ送風するが、（図５（Ｂ）参照）、この各ダクト口６２を送風口６１から外すことによって、ダクト口６２を下向きにすることによって（図５（Ｃ）参照）、このエアダクト１７内の残留物や、ダクト口６２周りに付着する付着物等を掃除することができる。
【００５０】
前記各繰出装置３のロール軸４９は、リアフロア２０の下部に配置の施肥連動軸６６から伝動回転される。また、この施肥連動軸６６は、リヤアクスルハウジング７３内の伝動装置から駆動される施肥駆動軸６７を介して伝動される。リヤアクスルハウジング７３内の伝動装置は、ミッションケース２９側から後輪連動軸７４を介して連動され、施肥クラッチ７２の操作によって伝動される連動軸７５を前記施肥駆動軸６７へ連動している。
【００５１】
また、前記各螺旋軸８を連動する連動軸２１は、苗植装置３２を連動するＰＴＯ軸６８の途中位置のベベルギヤ６９から螺旋連動軸７０、及びベベルギヤ７１を介して伝動回転する形態である。また、前記ブロワ４は、ファンを電動モータ７６によって回転する形態
である。
【００５２】
ここにおいて、肥料を収容する施肥ホッパ１と、繰出ロール２の回転によって前記施肥ホッパ１から供給される肥料を繰出す繰出装置３と、ブロワ４からの送風を通して、前記繰出装置３から繰出される肥料を受けて施肥ホース５へ送風搬送させる送風施肥筒６とを構成する施肥機において、
前記繰出装置３の繰出口７と、送風施肥筒６との間に、螺旋軸８の周面に螺旋翼９を形成した押出螺旋１０と、この押出螺旋１０を押出筒１２内部に嵌合させた状態で回転して前記繰出口７から供給される肥料を押出口１１へ押出すように軸装する押出筒１２と、この押出筒１２の押出口１１から押し出される肥料を受けて前記送風施肥筒６上周部の供給口１３に供給する供給ホッパ１４と、前記押出筒１２の始端部に搬送風を吹き込む噴風装置８０とを設けて、前記繰出口７から流下される肥料を、押出螺旋１０の回転、及び噴風装置８０による送風によって、押出筒１２内を押出しながら送風施肥筒６へ供給することを特徴とする施肥機の施肥装置の構成とする。
【００５３】
繰出装置３から繰出される繰出口７の肥料は、押出螺旋１０を有した押出筒１２の押込口１６に供給されて、この押出螺旋１０の回転によって押出筒１２内を後側部へ押出されると共に噴風装置８０を構成するエアダクト１７から送風パイプ８１を経て、この押出筒１２に吹き込まれる送風力を受けて、押出口１１から下側の送風施肥筒６の供給ホッパ１４の供給口１３へ供給される。
【００５４】
ブロワ４から吹出される送風は、エアダクト１７を通して各送風施肥筒６へ分岐するように送風されて、前記供給口１３からこの送風施肥筒６へ供給される肥料を後側の施肥ホース５側へ噴送する。この送風施肥筒６内へ吹込まれる送風は、一部上側の供給口１３側へ吹込まれようとするも、前記押出筒１２内には、前記噴風装置８０からの噴風圧による押出搬送作用が行われており、この押出筒１２から供給ホッパ１４を経て送風施肥筒６側へ送風されているため、送風施肥筒６から供給ホッパ１４や、押出筒１２側へ、送風の一部が逆流しないように阻止される。
【００５５】
しかも、この供給ホッパ１４の上端の押出口１１に連通する押出筒１２内周面には、螺旋軸８と一体に形成されて回転する螺旋翼９の回転外周縁部を、これら押込口１６と押出口１１との間に形成の押出筒１２内周面に接近させて回転する押出螺旋１０と、この押出螺旋１０の螺旋間隔部に嵌合させて押出移送される肥料とによって仕切られた形態にあるため、供給口１３に吹込まれた風圧が直ちに上側繰出口７側へ吹込まれたり、逃げ出すことは阻止されて、送風施肥筒６における後側施肥ホース５側への送風搬送力を効果的に維持する。そして、前記押出筒１２における搬送を押螺旋１０によって強制的に、画一的に行うものであるから、正確な施肥作用を行わせる。
【００５６】
また、前記押出筒１２の始端部に搬送風を吹き込む噴風装置８０は、前記送風施肥筒６へ送風するエアダクト１７からの分岐連通の送風パイプ８１を介して吹き込み可能に設ける。
【００５７】
各繰出装置３の押出筒１２の始端部に、送風を吹込む噴風装置８０として、この繰出装置３の下部に配置するエアダクト１７を送風される送風の一部を利用して、このエアダクト１７から直接分岐送風される送風パイプ８１を介して、押出筒１２内に連通している。そして、このエアダクト１７から送風を、各送風施肥筒６へ分岐送風すると共に、送風パイプ８１を介して各押出筒１２へ分岐送風させて、この押出筒１２内に繰出された肥料を、前記送風パイプ８１からの噴風によって押出口１１側へ搬送すると共に、この押出筒１２内で回転する押出螺旋１０によって搬送する。
【００５８】
このようにして供給ホッパ１４に押出された肥料は、この供給ホッパ１４の下端部の供給口１３から前記送風施肥筒６内へ供給されて、エアダクト１７から吹き出される送風力によって施肥ホース５へ施肥搬送される。この送風施肥筒６における施肥搬送は、エアダクト１７から直接分岐送風される送風力によって搬送されると共に、同エアダクト１７から押出筒１２へ分岐送風して、この押出筒６内を押出螺旋１０の回転による搬送と共に搬送することによって、送風施肥筒６内の施肥搬送する肥料の供給ホッパ１４側への逆流を防止することができる。
【００５９】
また、前記苗植装置３２の苗植連動において、噴風装置８０による押出筒１２への噴風タイミングを、苗植装置３２の植付装置４８の植付停止時に噴風し、植付連動時には噴風停止可能に設定して連動構成する。
【００６０】
前記押出筒１２に噴風装置８０の噴風作用を働かせて肥料繰出を行わせる施肥形態にあっては、噴風装置８０の噴風作用を常時継続状態にしないで、噴風作用に必要とするときだけ噴風させる間歇的噴風形態に作動させることによって、噴風ロスを少なくして、小形のブロワを用いて効率的な施肥搬送を行わせようとする。
【００６１】
前記噴風装置８０の送風パイプ８１を経て押出筒１２内へ吹込む送風は、この送パイプ８１に設けるエアババルブ８７を、苗植センサ８８や、肥料詰りセンサ９０等の検出によって、開閉制御する形態としている。前記噴風装置８０がエアコンプレッサの如き、高風圧を送る形態であるときは、前記送風パイプ８１に、ニードルバルブ形態の如きエアバルブ８７を設けている。
【００６２】
苗植センサ８８が苗植装置３２の苗植作動状態を検出し、または施肥センサ９２が施肥装置３３の施肥作動状態を検出しているとき（図７、ステップＳ１）、開位置にあるエアバルブ８７は、コントローラ９１からの操作出力により、ソレノイドを介して閉作動される（Ｓ２）。また、前記苗植センサ８８が苗植作動状態を検出しないか、または、施肥センサ９２が施肥装置３３の施肥作動状態を検出しないときは（Ｓ３）、操作出力により、エアバルブ８７を開作動することができ（Ｓ４）、押出筒１２内の残留肥料を供給ホッパ１４へ搬送し、押出筒１２内周面を噴掃することができる。
【００６３】
また、前記押出螺旋１０の終端部を供給ホッパ１４の上側部にのぞませて搬送抵抗の少ない形態に開放し、この供給ホッパ１４内での肥料詰まりを検出する詰まりセンサ８２を設けて、この詰まりセンサ８２による肥料詰まりの検出によって施肥装置３３の施肥を停止可能に設ける。
【００６４】
繰出装置３の繰出口７から押込口１６を経て押出筒１２に供給された肥料は、押出螺旋１０の回転によって押出口１１へ押出されて、供給ホッパ１４へ供給される。この押出筒１２内で回転する押出螺旋１０は、螺旋翼９の終端縁が、該供給ホッパ１４の中央直上方位置で開放形態に形成されて、螺旋軸８の終端軸受部よりも搬送方向手前側位置に短かく突出形成された位置にあって、これら螺旋軸８の終端軸受部、乃至軸受ケース側面部と、螺旋翼９の終端縁部との間に、大きい開放間隔部を形成している。
【００６５】
このため、押出螺旋１０によって押出される肥料が、供給ホッパ１４の中央上側部に押出されると、肥料が螺旋翼９の終端縁から開放されて、直ちに供給ホッパ１４内へ落下供給される。一部の肥料が、螺旋軸８の終端軸受部や、この軸受ケース側面等に押付けられて、堆積、団塊状態に形成され難く、供給ホッパ１４の供給口１３から送風施肥筒６への肥料の供給排出を円滑に行わせる。
【００６６】
この供給ホッパ１４には詰りセンサ８２が設けられていて、この供給ホッパ１４内に肥
料が滞留されて、詰りセンサ８２によって検出されると（図８、Ｓ５）、施肥装置３３を伝動する施肥駆動軸６７の施肥クラッチ７２を切り位置にして、施肥作業を停止させることができる。
【００６７】
更には、前記多条施肥形態の各施肥装置３３の下側部において、前記繰出ロール２を連動する施肥連動軸６６と、前記各螺旋軸８を連動する螺旋連動軸２１とを、車体２６幅方向である左右横方向に亘って平行状形態に配置し、これら各施肥連動軸６６を連動する施肥駆動軸６７機構と、螺旋連動軸２１を連動する螺旋駆動軸７０機構とを、車体２６のセンタラインＬ部に対して、左右両側部に略平行状形態にし、かつ、略左右対称状形態にして、配置構成する。
【００６８】
横並び形態の各施肥装置３３の繰出ロール２軸４９は、後輪２７を伝動回転する後輪軸連動機構７３から連動される施肥駆動軸６７、及び施肥連動軸６６等を介して伝動回転される。また、押出筒１２の押出螺旋１０は、ミッションケース２９のＰＴＯ軸６８から連動される螺旋駆動軸７０、及び螺旋連動軸２１等を介して伝動回転される。そして、繰出ロール２の回転によって施肥ホッパ１内の肥料を繰出しながら、この繰出肥料を押出螺旋１０の回転によって押出搬送し、施肥ホース５の連通する送風施肥筒６に繰出供給して各送風施肥筒６毎の多条施肥を行わせる。
【符号の説明】
【００６９】
１  施肥ホッパ
２  繰出ロール
３  繰出装置
４  ブロワ
５  施肥ホース
６  送風施肥筒
７  繰出口
８  螺旋軸
９  螺旋翼
１０  押出螺旋
１１  押出口
１２  押出筒
１３供給口
１４  供給ホッパ
１５  ホッパ出口
１６  押込口
１７  エアダクト
１８  運転席
１９  リアフェンダ
２０  リアフロア
２１  連動軸
６６  施肥連動軸
６７  施肥駆動軸
７０  螺旋連動軸
８０  噴風装置
８１  送風パイプ
８２  詰まりセンサ
８９  開閉弁
【図１】
0006638242.tif 000002
【図２】
0006638242.tif 000003
【図３】
0006638242.tif 000004
【図４】
0006638242.tif 000005
【図５】
0006638242.tif 000006
【図６】
0006638242.tif 000007
【図７】
0006638242.tif 000008
【図８】
0006638242.tif 000009